(57)【要約】【課題】  フローリング床の施工性を低下させることなく、貼り替え時には、フローリング材の表層材のみを剥がし取ることで改修することのできるフローリング床の敷設構造、改修方法及びフローリング材を提供する。【解決手段】  床下地２上に長尺のフローリング材１が粘着層を介して敷設されるフローリング床の敷設構造において、フローリング材１が表層材と下層材とからなる多層構造になされ、表層材１１と下層材１２との層間の付着力が、下層材と施工面との付着力より小さくなされている。【選択図】図１
2005351000.tif 000002
【特許請求の範囲】
【請求項１】
床下地上に長尺のフローリング材が粘着層を介して敷設されるフローリング床の敷設構造において、フローリング材が表層材と下層材とからなる多層構造になされ、表層材と下層材との層間の付着力が、下層材と施工面との付着力より小さくなされていることを特徴とするフローリング床の敷設構造。
【請求項２】
請求項１記載のフローリング材の敷設構造において、フローリング材の下層材の表面は仕上げ材となされていることを特徴とするフローリング床の敷設構造。
【請求項３】
請求項１又は２記載のフローリング材の敷設構造により敷設されたフローリング床の改修方法であって、
フローリング材の表層材を下層材から剥がし取ることにより改修することを特徴とするフローリング床の改修方法。
【請求項４】
複数枚を配列させることにより床面を構成する長尺のフローリング材であって、フローリング材が表層材と下層材とからなる多層構造になされ、表層材の裏面に粘着層が設けられ、下層材の裏面に粘着層が設けられ、表層材と下層材との層間の粘着力が、下層材と施工面との粘着力より小さくなされていることを特徴とするフローリング材。
【発明の詳細な説明】
【技術分野】
【０００１】
本発明は、フローリング床の敷設構造、改修方法及びフローリング材に関する。
【背景技術】
【０００２】
一般に、住宅等における木質系のフローリング床では、フローリング材を床下地上に固着させるのに接着剤を使用することが多い。フローリング床は、フローリング材が経年により汚れや傷がついた場合やリフォーム時、また、近年開発されているスケルトン・インフィル住宅での間取りや内装の変更時には、フローリング材を剥がし取って貼り替えることが必要とされる。
【０００３】
しかし、床下地に接着材で強固に接着されたフローリング材は、剥がし取ることが困難であり、フローリング材の表面に丸鋸で多数の切り溝を入れるなどして、剥がしやすくするための処理をしなければならない。このため、床下地材までもが破損したり、接着剤で強固に接着されている部分では、フローリング材の破損部分を剥がし取ることができずに床下地上に残ってしまったりする。床下地上に残った破損部分は、けれんして取り除かねばならず、場合によっては床下地材そのものを張り替えることが必要となる。このようなフローリング床の張り替えは、大がかりな作業となってコストが嵩む場合もあり、環境保全の観点からも好ましくない。
【０００４】
そこで、床をリフォームするときなど、床材を既存のフロア上に短時間で粘設でき、また、既存の床面の一部分のみを容易に貼り替えができる直貼り用床材が提案されている。（例えば、特許文献１参照）。
また、フローリング床の施工性を低下させること無く、貼り替え時には、フローリング材を容易に剥がし取って改修することのできるフローリング材の敷設構造、施工方法並びに改修方法及びフローリング材が提案されている。（例えば、特許文献２参照）。
【特許文献１】特開２００１−２８８８８０号公報
【特許文献２】特開２００４−０５２４５３号公報
【発明の開示】
【発明が解決しようとする課題】
【０００５】
粘着シートを使用するフローリング床の施工方法では、接着剤を使用する場合に比べて、作業が簡便であり、作業時間の飛躍的な短縮を図ることができる。しかしながら、特許文献１に記載の直貼り用床材や、特許文献２に記載のフローリング材の敷設構造等のフローリング材を床に粘着材による固定方法は下地材の汚れや不滑面が悪影響するので接着又は釘固定を可能な収まりとしているのが一般的である。
また、フローリング床の貼り替えにおいては、粘着材の場合においても、床下地面の清掃、けれん等の作業が必要であり、施工の良否を決める上でも重要な作業であり、手間がかかるという問題があった。
【０００６】
すなわち、フローリング材を剥がし取るには、フローリング材と床下地材との間にバール等の工具を差し込み、こじ開けながら引き剥がしていく作業が必要になる。しかし、フローリング材は、室内の床面に隙間なく敷き詰められて、隣接するフローリング材と密着した状態にあり、その周囲に工具を差し込む余地はない。特に、このような場合に、フローリング床から第１枚目のフローリング材を無理なく剥がし取ることは容易でない。
【０００７】
そこで、壁に設けられた幅木を除去し、壁際のフローリング材から順に剥がし取ることも考えられる。しかしながら、この場合は、壁紙や壁面ボードが損傷して壁の補修を伴う作業となるおそれがある。また、表面に丸鋸で切り溝を入れて第１枚目のフローリング材を剥がし取る方法では、騒音や粉塵の問題が発生するとともに、フローリング材や床下地が破損するため好ましくない。
【０００８】
本発明は以上のような事情に鑑みてなされたものであり、フローリング床の施工性を低下させることなく、貼り替え時には、フローリング材の表層材のみを剥がし取ることで改修することのできるフローリング床の敷設構造、改修方法及びフローリング材を提供することを目的としている。
【課題を解決するための手段】
【０００９】
請求項１記載の発明は、床下地上に長尺のフローリング材が粘着層を介して敷設されるフローリング床の敷設構造において、フローリング材が表層材と下層材とからなる多層構造になされ、表層材と下層材との層間の付着力が、下層材と施工面との付着力より小さくなされていることを特徴とするものである。ここで、フローリング材は長尺の床仕上げ材であって、適宜の柔軟性を有する材料により構成される。
【００１０】
請求項２記載の発明は、請求項１記載のフローリング材の敷設構造において、フローリング材の下層材の表面は仕上げ材となされていることを特徴とするものである。
【００１１】
請求項３記載の発明は、請求項１又は２記載のフローリング材の敷設構造により敷設されたフローリング床の改修方法であって、
フローリング材の表層材を下層材から剥がし取ることにより改修することを特徴とするものである。
【００１２】
この発明によれば、フローリング材の表層材を下層材から剥がし取るだけで下層材の表面が仕上げ材仕様であるので、そのままで新しい表面として使用できるので、極めて容易に改修することができる。
【００１３】
請求項４記載の発明は、複数枚を配列させることにより床面を構成する長尺のフローリング材であって、フローリング材が表層材と下層材とからなる多層構造になされ、表層材の裏面に粘着層が設けられ、下層材の裏面に粘着層が設けられ、表層材と下層材との層間の粘着力が、下層材と施工面との粘着力より小さくなされていることを特徴とするものである。
【００１４】
また、本発明のフローリング材は、複数枚を配列させることにより床面を構成する長尺のフローリング材であって、フローリング材が表層材と下層材とからなる多層構造になされ、表層材の裏面に粘着層が設けられ、下層材の裏面に粘着層が設けられ、この下層材の裏面の粘着層には粘着面を保護するための剥離ライナーが予め貼り合わされている。
【発明の効果】
【００１５】
請求項１及び２記載のフローリング床の敷設構造は、床下地上に長尺のフローリング材が粘着層を介して敷設されるフローリング床の敷設構造であって、フローリング材が表層材と下層材とからなる多層構造になされ、表層材と下層材との層間の付着力が、下層材と施工面との付着力より小さくなされており、フローリング材の下層材の表面は仕上げ材となされているので、フローリング床を施工後、フローリング床を改修するには、フローリング床の表層材を下層材から引き剥がすことができ、表層材が引き剥がされた後の下層材が仕上げ材となされているため、そのままで新たな表層材の機能を発揮するので、簡単に改修することができる。
【００１６】
請求項３記載のフローリング床の改修方法は、請求項１又は２記載のフローリング材の敷設構造により敷設されたフローリング床の改修方法であって、
フローリング材の表層材を下層材から剥がし取ることにより改修する方法であるから
極めて容易に改修することができる。
【００１７】
請求項４記載のフローリング材は、複数枚を配列させることにより床面を構成する長尺のフローリング材であって、フローリング材が表層材と下層材とからなる多層構造になされ、表層材の裏面に粘着層が設けられ、下層材の裏面に粘着層が設けられ、表層材と下層材との層間の粘着力が、下層材と施工面との粘着力より小さくなされているので、本発明のフローリング材は施工面への貼り付けが簡単であり、また貼り替えも表層材部分を引き剥がすだけで、下層材の仕上げ面が新たな表層材として機能するので改修が極めて容易にできる。
また、下層材の表層部が仕上げ面になされていない場合においても、改修・補修の必要な部分のみを貼り替えることで改修できるので、改修が簡単にできる。
以下、本発明の実施の形態について、図面を参照しつつ説明する。
【発明を実施するための最良の形態】
【００１８】
図１は、本発明の実施の形態を示し、フローリング材の斜視図である。図２はフローリング材を施工面への施工状態を示す断面図である。このフローリング材１は、住宅等のフローリング床に敷設される長尺の床仕上げ材であり、適宜の柔軟性を有するものであれば材料は特に限定されない。フローリング材１は表層材１１と下層材１２との多層構造をなしている。そして、表層材１１は表面側の仕上げ面１１ａ、中間層１１ｂ、粘着層１１ｃとから構成されている。下層材１２は仕上げ面１２ａ、中間層１２ｂ、粘着層１２ｃとか構成されている。
【００１９】
本実施の形態において、表層材１１の粘着層１１ｃが下層材１２の仕上げ面１２ａに対する粘着力が、下層材１２の粘着層１２ｃが施工面に対する粘着力より弱く設定されている。
【００２０】
粘着層１１ｃや粘着層１２ｃは、両面粘着テープと呼ばれるような、支持体の両面に粘着剤層が形成されて片面が剥離ライナーにより被覆された粘着シート、又は前記支持体を有しない粘着シートにより構成される。本実施の形態では、粘着層１１ｃは支持体を有しない両面粘着シートが用いられ、粘着層１２ｃは、粘着面を保護する剥離ライナーが予め貼り合わされた粘着シートを、フローリング材１の下層材１２の裏面に直接貼り付けて粘着層１２ｃを形成している。
【００２１】
この粘着層１２ｃを構成する支持体には、ポリエステル樹脂やポリオレフィン樹脂系のフィルム、不織布、織布、網状体のシート、又はマニラ麻原紙や和紙などの高強度繊維系不織布シート、若しくはポリオレフィン樹脂、ポリウレタン樹脂などの発泡樹脂体等が用いられる。
【００２２】
支持体に形成される粘着剤層は、工業用途に用いられるアクリル系、天然ゴム系、合成ゴム系、シリコーン系などの粘着性ポリマーを主成分とする有機溶剤系粘着剤、又はエチレン−酢酸ビニル共重合体（ＥＶＡ）系粘着剤などを主成分とするエマルジョン系粘着剤等により形成される。中でも、耐久性に優れ、取り扱いに際して汚れることの少ないアクリル系粘着剤が好ましい。また、粘着剤は、粗面接着性、寒冷時の貼付性を考慮すると、ガラス転移温度Ｔｇが５℃以下であることが好ましく、厚みを５０〜１００μｍ程度とすることが好ましい。
【００２３】
本発明において、表層材１１の粘着層１１ｃが下層材１２の仕上げ面１２ａに対する粘着力が、下層材１２の粘着層１２ｃが施工面に対する粘着力より弱く設定されている。
この粘着層１１ｃと粘着層１２ｃとの粘着力の調整方法としては種々の方法があり、例えば粘着付与材の量によりコントロールされてもよく、或いは水素結合力をコントロールするため−ＯＨ基の含有量を調整する（例えばアクリル系粘着材中のアクリル酸含有量）
或いは下層材１２の仕上げ面１２に離型剤（ポリエチレン系ワックス、シリコーン系等）を塗布或いは混入して粘着力が調整されても良い。
【００２４】
このような粘着シートとして、例えば、本出願人による特開平９−２２７８４３号公報に開示された加圧接着型粘着シートがあり、貼付位置の修正をする上で好適である。
【００２５】
このように構成されるフローリング材１は、図２に示すように、複数枚が施工面（床下地）２に配列されることによりフローリング床を形成する。
ここで、長手方向に沿って形成された粘着層１２ｃの全体を使用して、フローリング材１を床下地２に貼り付けると、粘着層１２ｃは接着力が高くフローリング材１は強力に接着される。
【００２６】
また、このフローリング床の貼り替え等の改修にあたり、前記の敷設構造によって敷設されたフローリング材１を床下地２から剥がし取る場合には、フローリング材１の表層材１１の一端側からマイナスドライバー等を差し込んで下層材１２から引き剥がすだけでよい。すると、下層材の表面が現れ、下層材の表面は仕上げ材１２ａであるので、表層材１１の仕上げ面１１ａと同様の機能を有し、改修は簡単にすることができる。
また、下層材１２の表層部が仕上げ面１２ａになされていない場合においても、改修・補修の必要な部分のみを表層材１１で貼り替えることで改修できるので、改修が簡単にできる。
【００２７】
また、本実施例においては、フローリング材１の表層材１１及び下層材１２共に表面層（仕上げ面）、中間層、粘着材層の各々３層構造の例を示したが、表層材、下層材共に表面層（仕上げ面）、粘着材層の各々２層構造であっても良い。
【産業上の利用可能性】
【００２８】
この発明によれば、フローリング材の表面層のみを引き剥がすだけでフローリング床の改修ができ、改修方法として極めて簡単にできる。また、部分的な改修も改修部分をフローリング材の表面層のみの貼り替えで済み経済的である。
【図面の簡単な説明】
【００２９】
【図１】本発明に係るフローリング材の斜視図である。
【図２】本発明に係るフローリング材の施工面への施工状態を示す断面図である。
【符号の説明】
【００３０】
１      フローリング材
１１    表層材
１１ａ  仕上げ面
１１ｂ  中間層
１１ｃ  粘着層
１２    下層材
１２ａ  仕上げ面
１２ｂ  中間層
１２ｃ  粘着層
２      施工面（床下地）
【図１】
2005351000.tif 000003
【図２】
2005351000.tif 000004